(57)【要約】【課題】水の浸入による不具合なく、被覆除去に要する引っ張り力の低減を図り、良好に被覆除去作業を行うことが可能な光ファイバ被覆除去器を提供する。【解決手段】被覆除去部３１で被覆１ｂを切断して加熱した状態で光ファイバ固定部１３を被覆除去器本体１２から離間させることにより、ガラスファイバ１ａを被覆１ｂから引き抜く光ファイバ被覆除去器１１であって、被覆除去部３１は、ヒータ４２を搭載したヒータ支持部材４３を備え、ヒータ支持部材４３は、筐体１２ａに形成された収容凹部５１に収容され、収容凹部５１とヒータ支持部材４３との間には、断熱空間部５５が形成され、ヒータ支持部材４３の側面と収容凹部５１の側壁５１ｂの内面とが、ヒータ支持部材４３に形成されたリブ６１を介して接触されて断熱空間部５５が封鎖されている。【選択図】図１３
2011112791.tif 000002
【特許請求の範囲】
【請求項１】
ガラスファイバを被覆した光ファイバ心線の端部近傍を保持する光ファイバ固定部と、前記光ファイバ固定部が接離可能に設けられ、前記光ファイバ固定部に保持された前記光ファイバ心線の端部近傍における前記被覆を切断刃によって切断するとともにヒータによって加熱する被覆除去部を有する被覆除去器本体とを備え、前記被覆除去部によって前記被覆を切断して加熱した状態で前記光ファイバ固定部を前記被覆除去器本体から離間させることにより、前記ガラスファイバを前記被覆から引き抜く光ファイバ被覆除去器であって、
前記被覆除去部は、前記ヒータを搭載したヒータ支持部材を備え、
前記ヒータ支持部材は、前記被覆除去器本体の筐体に形成された収容凹部に収容され、
前記収容凹部と前記ヒータ支持部材との間には、空間部が形成され、
前記ヒータ支持部材の側面と前記収容凹部の内面とが、前記ヒータ支持部材または前記収容凹部に形成されたリブを介して接触されて前記空間部が封鎖されていることを特徴とする光ファイバ被覆除去器。
【請求項２】
請求項１に記載の光ファイバ被覆除去器であって、
前記被覆除去器本体は、回路基板を収納する基板収納部を有し、
前記筐体には、前記被覆除去部と前記基板収納部との間に隔壁が形成され、
前記ヒータ支持部材の一部が前記隔壁に支持され、
前記ヒータ支持部材は、前記隔壁と接触する接触部と、前記隔壁に対して隙間を形成する逃げ部とを有し、
前記被覆除去部と前記基板収納部とが、前記隔壁によって液密的に区画されていることを特徴とする光ファイバ被覆除去器。
【請求項３】
請求項１または２に記載の光ファイバ被覆除去器であって、
前記筐体の前記収容凹部の底部には、壁部が立設され、前記ヒータ支持部材は、前記壁部上に支持されていることを特徴とする光ファイバ被覆除去器。
【請求項４】
請求項１から３の何れか一項に記載の光ファイバ被覆除去器であって、
前記空間部は、前記壁部によって液密的に区画され、前記壁部によって分割された一方の空間部には、前記ヒータにつながる配線が収容されることを特徴とする光ファイバ被覆除去器。
【発明の詳細な説明】
【技術分野】
【０００１】
本発明は、光ファイバの被覆を除去するのに用いる光ファイバ被覆除去器に関する。
【背景技術】
【０００２】
近年、インターネットの急速な普及により高速データ通信の要求が高まっており、各家庭まで光ファイバを布設するＦＴＴＨ（Fiber To The Home）のサービスが拡大している。そのため、一般家庭で光接続用の光コネクタが取り扱われることが見込まれている。例えば、戸内で光通信機器に接続された光ファイバの被覆部を除去して光コネクタを取り付ける。そして、光接続用のアダプタに光コネクタを差し込むことで、家庭内の光通信機器をＦＴＴＨのネットワークに接続させることが考えられる。
このような用途で使用される光ファイバ被覆除去器の一例として、樹脂によって被覆された単心または複数心の光ファイバ心線の端部を、ヒータを有する除去器本体で挟むと共にその光ファイバ心線端部の被覆を、ヒータで加熱しながら切断して抜き取るものがある（例えば、特許文献１，２参照）。
【先行技術文献】
【特許文献】
【０００３】
【特許文献１】特開２００１−１０８８３６号公報
【特許文献２】特開平１１−３３７７３８号公報
【発明の概要】
【発明が解決しようとする課題】
【０００４】
ところで、上記の光ファイバ被覆除去器では、ヒータの熱が筐体へ伝達されると被覆の加熱温度が低下し、被覆除去に大きな引っ張り力が必要となり、光ファイバ心線の破損や損傷を招くおそれがある。したがって、引っ張り力を低減させるために消費電力も多くせざるを得ない。そのため、バッテリーによって電力を供給する場合、バッテリーの駆動時間が短時間となり、作業効率の低下を招いてしまう。
また、ヒータと筐体との間に隙間を形成すれば、筐体への熱の伝達を抑えることができるが、隙間から筐体の内部へ水が浸入し、ヒータの配線や回路基板等への不具合を生じさせてしまうおそれがある。
【０００５】
本発明の目的は、水の浸入による不具合なく、被覆除去に要する引っ張り力の低減を図り、良好に被覆除去作業を行うことが可能な光ファイバ被覆除去器を提供することにある。
【課題を解決するための手段】
【０００６】
上記課題を解決することのできる本発明の光ファイバ被覆除去器は、ガラスファイバを被覆した光ファイバ心線の端部近傍を保持する光ファイバ固定部と、前記光ファイバ固定部が接離可能に設けられ、前記光ファイバ固定部に保持された前記光ファイバ心線の端部近傍における前記被覆を切断刃によって切断するとともにヒータによって加熱する被覆除去部を有する被覆除去器本体とを備え、前記被覆除去部によって前記被覆を切断して加熱した状態で前記光ファイバ固定部を前記被覆除去器本体から離間させることにより、前記ガラスファイバを前記被覆から引き抜く光ファイバ被覆除去器であって、
前記被覆除去部は、前記ヒータを搭載したヒータ支持部材を備え、
前記ヒータ支持部材は、前記被覆除去器本体の筐体に形成された収容凹部に収容され、
前記収容凹部と前記ヒータ支持部材との間には、空間部が形成され、
前記ヒータ支持部材の側面と前記収容凹部の内面とが、前記ヒータ支持部材または前記収容凹部に形成されたリブを介して接触されて前記空間部が封鎖されていることを特徴とする。
【０００７】
本発明の光ファイバ被覆除去器において、前記被覆除去器本体は、回路基板を収納する基板収納部を有し、
前記筐体には、前記被覆除去部と前記基板収納部との間に隔壁が形成され、
前記ヒータ支持部材の一部が前記隔壁に支持され、
前記ヒータ支持部材は、前記隔壁と接触する接触部と、前記隔壁に対して隙間を形成する逃げ部とを有し、
前記被覆除去部と前記基板収納部とが、前記隔壁によって液密的に区画されていることが好ましい。
【０００８】
本発明の光ファイバ被覆除去器において、前記筐体の前記収容凹部の底部には、壁部が立設され、前記ヒータ支持部材は、前記壁部上に支持されていることが好ましい。
【０００９】
本発明の光ファイバ被覆除去器において、前記空間部は、前記壁部によって液密的に区画され、前記壁部によって分割された一方の空間部には、前記ヒータにつながる配線が収容されることが好ましい。
【発明の効果】
【００１０】
本発明の光ファイバ被覆除去器によれば、ヒータ支持部材と筐体との接触面積が極力少なくなり、空間部が断熱層となるので、ヒータの熱の筐体への伝達を極力抑えることができる。よって、ヒータに通電してから光ファイバ心線の被覆の除去の最適温度に昇温するまでに要する時間を短縮させることができ、省電力を実現することができる。また、被覆の除去に要する引っ張り力を低減させて光ファイバ心線の破損や損傷なく良好かつ円滑に被覆の除去作業を行うことができる。
また、内部電源を使用する場合に、その寿命の長期化を図ることができるので、長時間の作業が可能となり、作業効率の大幅な向上を図ることができる。
また、ヒータ支持部材の側面または収容凹部の内面に形成されたリブによって空間部が封鎖されているので、光ファイバ被覆除去器を屋外で用いた場合であっても、空間部への水の浸入を防止することができ、水の浸入による不具合をなくすことができる。
【図面の簡単な説明】
【００１１】
【図１】本発明に係る光ファイバ被覆除去器の実施形態例を示す斜視図である。
【図２】図１の光ファイバ被覆除去器の蓋を開いた状態の斜視図である。
【図３】図１の光ファイバ被覆除去器の蓋を開いて光ファイバ心線をセットした状態の斜視図である。
【図４】光ファイバ心線加熱部を示す上方側から視た斜視図である。
【図５】光ファイバ心線加熱部を示す下方側から視た斜視図である。
【図６】蓋を取り外した状態の被覆除去器本体の平面図である。
【図７】図６におけるＡ−Ａ断面での斜視図である。
【図８】被覆除去器本体を構成する筐体の前方側から視た斜視図である。
【図９】被覆除去器本体を構成する筐体の後方側から視た斜視図である。
【図１０】被覆除去器本体を構成する筐体の平面図である。
【図１１】図６におけるＡ−Ａ断面の一部を示す図である。
【図１２】図６におけるＢ−Ｂ断面図である。
【図１３】図１２における一部の拡大図である。
【図１４】被覆除去部の後端側の拡大斜視図である。
【図１５】被覆除去部における温度分布を示す図である。
【発明を実施するための形態】
【００１２】
以下、本発明に係る光ファイバ被覆除去器の実施の形態の例を、図面を参照して説明する。
図１から図３に示すように、光ファイバ被覆除去器１１は、被覆除去器本体１２と、この被覆除去器本体１２の一端側に連結された光ファイバホルダ固定部（光ファイバ固定部）１３とを有している。
光ファイバホルダ固定部１３には、被覆除去器本体１２側へ延在する２本のスライドシャフト１４を有しており、これらのスライドシャフト１４が、被覆除去器本体１２の摺動孔１５内へ摺動可能に挿通されている。これにより、光ファイバホルダ固定部１３は、被覆除去器本体１２に対して接離可能にスライド自在である。なお、この光ファイバホルダ固定部１３を被覆除去器本体１２から離間させる方向、すなわち光ファイバ心線１を引き抜く方向を、光ファイバ被覆除去器１１の前方と呼ぶこととする。
【００１３】
光ファイバホルダ固定部１３は、その上部にホルダ押さえ蓋２２が開閉自在に設けられると共に、ホルダ押さえ蓋２２を開いて露出した箇所の上面にホルダ搭載部２１が形成されている。このホルダ搭載部２１に、光ファイバ心線１を上下から挟んで保持した光ファイバホルダ２が載置される。
光ファイバ心線１は、ガラスファイバ１ａを樹脂からなる被覆１ａで覆ったものであり、光ファイバホルダ２は、光ファイバ心線１の端部近傍に装着される。そして、この光ファイバホルダ２をホルダ搭載部２１に載置した状態で、ホルダ押さえ蓋２２を閉じることにより、光ファイバホルダ２が光ファイバホルダ固定部１３に保持される。この光ファイバホルダ２の光ファイバ心線１に対する装着位置を調整することにより、被覆除去したい部分である光ファイバ心線１の被覆除去対象部分の長さを決めることができる。
【００１４】
被覆除去器本体１２は、光ファイバホルダ固定部１３が連結された一端側に、被覆除去部３１が設けられている。この被覆除去部３１には、その上部に、光ファイバ押さえ蓋３２が開閉自在に設けられている。
また、被覆除去部３１における光ファイバ押さえ蓋３２を開いて露出した箇所の上部前面、及び光ファイバ押さえ蓋２２の前面には、切断刃３４Ａ，３４Ｂがそれぞれ取り付けられる。これらの切断刃３４Ａ，３４Ｂは、被覆除去部３１に配置された光ファイバ心線１の被覆１ｂを切断するものである。被覆除去部３１に対して光ファイバ押さえ蓋２２を閉じることにより、切断刃３４Ａ，３４Ｂによって光ファイバ心線１の被覆１ｂだけが切断される。
【００１５】
被覆除去部３１は、光ファイバ心線加熱部４１を有している。光ファイバ心線加熱部４１は、図４及び図５に示すように、板状のヒータ４２と、このヒータ４２を搭載したヒータ支持部材４３とを有している。図６及び図７に示すように、ヒータ支持部材４３の上面には、左右の幅方向中央に、長手方向へ延在する収納溝４４が形成されており、この収納溝４４に、ヒータ４２が収納されている。また、ヒータ支持部材４３には、その上面における収納溝４４の両側部に、固定部材４５がねじ４６によってねじ止め固定され、これらの固定部材４５によって、収納溝４４に収納されたヒータ４２がヒータ支持部材４３に固定されている。
【００１６】
また、被覆除去部３１には、光ファイバ押さえ蓋２２の開閉でスイッチがＯＮ／ＯＦＦされるヒータ通電スイッチ（図示省略）が設けられており、光ファイバ押さえ蓋２２を閉じると、このヒータ通電スイッチがＯＮになり、ヒータ４２へ電力が供給される。
また、ヒータ支持部材４３の下面には、幅方向の中央位置に、係合リブ４７，４８が長手方向に間隔をあけて形成されている。これら係合リブ４７，４８は、それぞれ平面視コ字状またはＵ字状に形成されている。
【００１７】
図６及び図７に示すように、上記光ファイバ心線加熱部４１は、被覆除去器本体１２を構成する筐体１２ａにおける被覆除去部３１に形成された収容凹部５１に収容されている。
図８から図１２に示すように、収容凹部５１は、その底部５１ａに、被覆除去器本体１２の軸方向へ延在する縦壁（壁部）５２及び一対の縦壁（壁部）５３が立設されている。縦壁５２は、被覆除去器本体１２の先端側に形成され、縦壁５３は、縦壁５２よりも後端側に形成されている。縦壁５２は、被覆除去器本体１２の幅方向中央に配置され、縦壁５３は、被覆除去器本体１２の幅方向中央で互いに間隔をあけて配置されている。また、縦壁５２と縦壁５３との間には、縦壁５２及び縦壁５３の端部に連結した横壁（壁部）５４が形成されている。
【００１８】
光ファイバ心線加熱部４１は、縦壁５２，５３及び横壁５４の上端に載置された状態で収容凹部５１内に収容される。これにより、ヒータ支持部材４３と筐体１２ａとの間には、断熱空間部（空間部）５５が形成されている。また、縦壁５３及び横壁５４によって囲われた空間部は、配線空間部（空間部）５６として形成されており、この配線空間部５６には、ヒータ４２に繋がる配線４２ａが収容可能である。そして、断熱空間部５５と配線空間部５６とは、縦壁５３及び横壁５４によって液密的に区画されている。
収容凹部５１には、縦壁５２の両側部に雌ねじ部５７が形成されており、この雌ねじ部５７にねじ５８をねじ止めすることにより、ヒータ支持部材４３が筐体１２ａに固定されている。
【００１９】
また、収容凹部５１には、縦壁５２の先端側及び後端側に、それぞれ係合凹部５９，６０が形成されている。そして、収容凹部５１に光ファイバ心線加熱部４１を収容させると、ヒータ支持部材４３の係合リブ４７が係合凹部５９に係合され、ヒータ支持部材４３の係合リブ４８が係合凹部６０に係合される。これにより、光ファイバ心線加熱部４１は、被覆除去器本体１２の長手方向への移動が規制される。
【００２０】
図４，図５及び図１３に示すように、ヒータ支持部材４３には、左右幅方向の両側の側面に、前後方向へ延在するリブ６１が形成されている。図１３に示すように、ヒータ支持部材４３は、収容凹部５１内に収容された状態で、その両側面に形成されたリブ６１の先端が、筐体１２ａの収容凹部５１を形成する側壁５１ｂの内面に接触し、これにより、断熱空間部５５及び配線空間部５６が封鎖されるとともに、ヒータ支持部材４３の位置決めを図っている。
リブ６１は、ヒータ支持部材４３の側面の厚みよりも極めて薄肉に形成されており、これにより、筐体１２ａへのヒータ支持部材４３の接触面積が極力小さくされている。
【００２１】
また、被覆除去器本体１２には、光ファイバ心線加熱部４１の後端側に、一対の隔壁６５が立設されている。この隔壁６５には、図８，図９及び図１４に示すように、その上端に、高さの異なる二つの段部６５ａ，６５ｂが形成されている。また、図４及び図５に示すように、ヒータ支持部材４３の後端には、両側部に段部６６ａを有する係合部６６が形成されている。このヒータ支持部材４３の係合部６６の底部が隔壁６５の段部６５ａに載置され、また、係合部６６の段部６６ａが隔壁６５の段部６５ｂに載置され、これにより、ヒータ支持部材４３の後端側が隔壁６５に支持される。
また、ヒータ支持部材４３は、その後端部が接触部７１として形成されており、この接触部７１が、それぞれの隔壁６５に接触し、ヒータ支持部材４３の位置決めを図っている。また、ヒータ支持部材４３の後端における接触部７１の下方側には、逃げ部７２が形成されており、これにより、この逃げ部７２の形成箇所においては、ヒータ支持部材４３と隔壁６５との間に隙間が形成されている。
【００２２】
図１から図３に示すように、被覆除去器本体１２は、光ファイバホルダ固定部１３の連結側と反対側の他端側に、電源部７５が設けられている。この電源部７５には、内部電源として、４〜８本の１．２〜１．５ボルト電池が収容可能である。また、この電源部７５には、電源コード８１が挿抜可能であり、この電源コード８１を挿し込むことにより、外部電源からの電力の供給が可能である。
【００２３】
また、電源部７５には、図１から図３及び図７に示すように、蓋体７６が着脱可能とされた基板収納部７４が設けられており、この基板収納部７４には、ヒータ４２への電流の供給を制御する回路基板７７が収納されている。
また、電源部７５には、ヒータ通電確認ＬＥＤ、温度表示ＬＥＤなどの各種表示用ＬＥＤ及び電源スイッチ、温度調整スイッチなどの各種スイッチを有する操作部７８が設けられている。
【００２４】
また、この電源部７５の被覆除去部３１側には、ヒータ４２に繋がる配線４２ａが収納可能な配線収納凹部７９が形成されている。
この電源部７５では、蓋体７６を取り付けることにより、回路基板７７及び配線収納凹部７９が密閉されるようになっている。
そして、被覆除去器本体１２は、被覆除去部３１と配線収納凹部７９を含む基板収納部７４とが、隔壁６５によって液密的に区画されている。これにより、万一被覆除去部３１近傍より水分が浸入した際でも、基板及び電源部へ直接水分が浸入することを防ぐことができる。更には配線収納凹部７９が液溜の役割をも果たすことで、より一層基板及び電源部への水分の直接浸入を防ぐことができる。加えて、配線収納凹部７９の底部近傍に水抜き用の穴を設けると共に、この穴に外部からの逆流防止弁を設けることで、内部に侵入した水分を容易に外部に除去可能な構造とすることも好ましい。
【００２５】
次に、上記の光ファイバ被覆除去器１１によって光ファイバ心線１の端部の被覆１ｂを除去し、ガラスファイバ１ａを露出させる方法について説明する。
光ファイバ心線１の端部の被覆１ｂを除去するには、まず、被覆除去器本体１２と光ファイバホルダ固定部１３とを接近させた状態で、光ファイバ押さえ蓋３２及びホルダ押さえ蓋２２を開き、光ファイバホルダ固定部１３のホルダ搭載部２１に、光ファイバ心線１に取り付けた光ファイバホルダ２をセットし、光ファイバ心線１の光ファイバホルダ２よりも先端側をヒータ４２上に配置する。
【００２６】
次に、ホルダ押さえ蓋２２を閉じるとともに、光ファイバ押さえ蓋３２を閉じる。
すると、２枚の切断刃３４Ａ，３４Ｂによって光ファイバ心線１の被覆１ｂのみが切断されるとともに、光ファイバ押さえ蓋３２を閉じたことによってヒータ通電スイッチがＯＮになり、ヒータ４２が通電される。
そして、ヒータ４２上に載置された光ファイバ心線１の被覆除去対象部分の被覆１ｂが、ヒータ４２によって高速昇温され軟化する。
【００２７】
光ファイバ心線１の被覆１ｂが被覆除去最適温度に達したことを操作部７８の表示用ＬＥＤによって確認したら、被覆除去器本体１２と光ファイバホルダ固定部１３とをそれぞれ把持し、光ファイバホルダ固定部１３を被覆除去器本体１２より離間させる方向に動かす。このようにすると、２枚の切断刃３４Ａ、３４Ｂによる切断箇所よりも先端側で加熱されて軟化した被覆１ｂのみが除去され、光ファイバ心線１の端部でガラスファイバ１ａが露出される。
被覆除去作業が終了した時点で、光ファイバ押さえ蓋３２を開くと、ヒータ通電スイッチがＯＦＦになり、ヒータ４２への通電が停止され、待機時におけるヒータ４２での無駄な電力消費が防止される。
【００２８】
図１５は、ヒータ４２に通電して発熱させた際の被覆除去器本体１２の光ファイバ心線加熱部４１の幅方向の温度分布を示している。
上記実施形態では、筐体１２ａとヒータ支持部材４３との間に断熱空間部５５及び配線空間部５６が形成され、断熱空間部５５及び配線空間部５６が断熱層となり、また、ヒータ支持部材４３の両側面に形成されたリブ６１を介して筐体１２ａの収容凹部５１の側壁５１ｂに接触されていることより、ヒータ４２の熱が筐体１２ａ側へ伝達しにくい構造を有している。
【００２９】
したがって、図１５中に実線で示すように、光ファイバ心線加熱部４１は、ヒータ支持部材４３（幅Ｗ２）から筐体１２ａへの熱伝達が抑制されてヒータ支持部材４３内に熱が確保され、特にヒータ４２の幅方向全域（幅Ｗ１）が高温となる。
これにより、ヒータ４２上に載置された光ファイバ心線１の被覆除去対象部分を、極めて迅速かつ良好に昇温させて軟化させることができ、円滑かつ良好に光ファイバ心線１の端部で被覆１ｂを円滑に除去し、ガラスファイバ１ａを露出させることができる。
【００３０】
これに対して、筐体１２ａとヒータ支持部材４３との間に空間部を設けず、また、ヒータ支持部材４３の両側面にリブ６１を形成せずにヒータ支持部材４３の両側面を筐体１２ａの収容凹部５１の側壁５１ｂの内面へ大きく接触させた構造であると、ヒータ４２の熱がヒータ支持部材４３を介して筐体１２ａ側へ伝達されてしまう。そのような構造であると、図１５中破線で示すように、光ファイバ心線加熱部４１は、ヒータ４２の幅方向中心部だけが高温となり、その周囲は温度が低下した状態となる。
したがって、ヒータ４２上に載置された光ファイバ心線１の被覆除去対象部分を十分に昇温させるまでに時間を要し、消費電力が多くなってしまう。
【００３１】
上記実施形態の光ファイバ被覆除去器１１によれば、筐体１２ａとヒータ支持部材４３との間に断熱空間部５５が形成され、また、ヒータ支持部材４３の両側面に形成されたリブ６１を介して筐体１２ａの収容凹部５１の側壁５１ｂの内面に接触しているので、ヒータ４２の熱の筐体１２ａへの伝達を極力抑えることができる。よって、ヒータ４２に通電してから光ファイバ心線１の被覆１ｂの除去の最適温度に昇温するまでに要する時間を短縮させることができ、省電力を実現することができる。また、被覆１ｂの除去に要する引っ張り力を低減させて光ファイバ心線１の破損や損傷なく良好かつ円滑に被覆１ｂの除去作業を行うことができる。
【００３２】
内部電源を使用する場合には、その寿命の長期化を図ることができるので、長時間の作業が可能となり、作業効率の大幅な向上を図ることもできる。
また、ヒータ支持部材４３の両側面に形成されたリブ６１を介して筐体１２ａの収容凹部５１の側壁５１ｂに接触されて断熱空間部５５及び配線空間部５６が封鎖されて外部と液密的に区画されているので、光ファイバ被覆除去器１１を屋外で用いた場合であっても、断熱空間部５５及び配線空間部５６への水の浸入を防止することができ、水の浸入による不具合をなくすことができる。
【００３３】
また、ヒータ支持部材４３の隔壁６５における支持箇所では、ヒータ支持部材４３の接触部７１だけが隔壁６５と接触し、この接触部７１の下方側の逃げ部７２では、隔壁６５に対して隙間が形成されるので、隔壁６５における支持箇所から筐体１２ａへの熱の伝達も極力抑えることができる。
しかも、被覆除去部３１と基板収納部７４とが、隔壁６５によって液密的に区画されているので、被覆除去部３１側から回路基板７７が収納された基板収納部７４側への水の浸入を確実に防止することができ、回路基板７７に水が付着することによる不具合の発生を防止することができる。
【００３４】
また、ヒータ支持部材４３は、筐体１２ａの収容凹部５１の底部５１ａに立設された縦壁５２，５３及び横壁５４上に支持された構造であるので、ヒータ支持部材４３の下方側から筐体１２ａへの熱の伝達も極力抑えることができる。
また、縦壁５２及び横壁５４によってヒータ支持部材４３の下方側が、互いに液密的に区画された断熱空間部５５と配線空間部５６とされ、配線空間部５６にヒータ４３に繋がる配線４２ａが収容されているので、万一断熱空間部５５内に水が浸入したとしても、配線４２ａが収容された配線空間部５６への水の浸入を防止することができる。これにより、ヒータ４２に繋がる配線４２ａに水が付着することによる不具合の発生を防止することができる。
【００３５】
なお、上記実施形態では、ヒータ支持部材４３の両側面にリブ６１を形成し、このリブ６１を収容凹部５１の側壁５１ｂの内面に接触させることにより、断熱空間部５５を封鎖させたが、収容凹部５１の側壁５１ｂの内面にリブ６１を形成し、このリブ６１をヒータ支持部材４３の両側面に接触させることにより、断熱空間部５５を封鎖させても良い。
また、上記実施形態では、単心の光ファイバ心線１の被覆１ｂを除去する場合を例示して説明したが、上記光ファイバ被覆除去器１１は、並列に配列されて一体化された複数心の光ファイバ心線にも適用可能である。
【符号の説明】
【００３６】
１：光ファイバ心線、１ａ：ガラスファイバ、１ｂ：被覆、１１：光ファイバ被覆除去器、１２：被覆除去器本体、１２ａ：筐体、１３：光ファイバホルダ固定部（光ファイバ固定部）、３１：被覆除去部、３４Ａ，３４Ｂ：切断刃、４２：ヒータ、４２ａ：配線、４３：ヒータ支持部材、５１：収容凹部、５２，５３：縦壁（壁部）、５４：横壁（壁部）、５５：断熱空間部（空間部）、５６：配線空間部（空間部）、６１：リブ、６５：隔壁、７１接触部、７２：逃げ部、７４：基板収納部、７７：回路基板
【図１】
2011112791.tif 000003
【図２】
2011112791.tif 000004
【図３】
2011112791.tif 000005
【図４】
2011112791.tif 000006
【図５】
2011112791.tif 000007
【図６】
2011112791.tif 000008
【図７】
2011112791.tif 000009
【図８】
2011112791.tif 000010
【図９】
2011112791.tif 000011
【図１０】
2011112791.tif 000012
【図１１】
2011112791.tif 000013
【図１２】
2011112791.tif 000014
【図１３】
2011112791.tif 000015
【図１４】
2011112791.tif 000016
【図１５】
2011112791.tif 000017